【手続補正書】
【提出日】平成22年7月30日(2010.7.30)
【手続補正１】
【補正対象書類名】特許請求の範囲
【補正対象項目名】全文
【補正方法】変更
【補正の内容】
【特許請求の範囲】
【請求項１】
前側が便鉢側に近接するように便器後部に配置される本体ベースと、
前記本体ベースの先端部に着脱自在に装着された着脱ベース、前記着脱ベースの下面に設けられ、スナップアクションにより前記着脱ベースを前記本体ベースの先端部の底面部に取り付けると共に、前記着脱ベース下面に平行する作用力により前記取り付けが解除される操作部及び前記着脱ベースの開口を覆うように前記着脱ベースの上側に軸支されたシャッターとを有するシャッター部と、
局部洗浄の直前に前記シャッターを押し開いて前記本体ベース側から前記便鉢側に延出するノズル本体とを具備し、
前記操作部は、弾性を有する略Ｕ字型の開口の両側に配設され、前記着脱ベースの裏面側に係止される係合突起と、前記係合突起の両側部の一方または両方に形成された外方向に突出する係合子とを備え、
前記係合子は、前記係合突起が前記本体ベースの先端部の底面側に形成された受容部の平行する壁の間に挿入されたとき、前記受容部の壁に設けられた凹部孔に弾性係合することを特徴とする人体局部洗浄装置。
【請求項２】
前記ノズル本体は、肛門洗浄用ノズル本体とビデ用ノズル本体とからなり、前記双方のノズル本体は前記着脱ベースの開口を通過するときは、隔壁により分離された状態で移動することを特徴とする請求項１に記載の人体局部洗浄装置。
【請求項３】
前記シャッター部と前記本体ベースの先端部との着脱は、前記シャッター部の開口の内壁が前記本体ベースの先端部から突出する突起ガイドによってガイドされる請求項１または請求項２に記載の人体局部洗浄装置。
【請求項４】
前記操作部は、前記シャッター部の前記裏面に突出した態様で設けられており、少なくともその５０％以上は、前記シャッターの遊端部側にて隠されていることを特徴とする請求項１乃至請求項３の何れか１つに記載の人体局部洗浄装置。
【手続補正２】
【補正対象書類名】明細書
【補正対象項目名】０００７
【補正方法】変更
【補正の内容】
【０００７】
加えて、前記操作部は、弾性を有する略Ｕ字型の開口の両側に配設され、前記着脱ベースの裏面側に係止される係合突起と、前記係合突起の両側部の一方または両方に形成された外方向に突出する係合子とを備え、前記係合子は、前記係合突起が前記本体ベースの先端部の底面側に形成された受容部の平行する壁の間に挿入されたとき、前記受容部の壁に設けられた凹部孔に弾性係合するものである。
ここで、上記本体ベース側に形成した凹部孔は、貫通孔または窪みとすることができるが、本発明では、汚れが発生し汚れやすい箇所であるから、汚したくない位置であり、窪みの角には汚れが溜まり易いので、貫通孔が望ましい。また、略Ｕ字状とした係合突起は、同時に互いに反対方向の力である内側に外力を付与するものであり、仮に、一方に外力を加えても、同時に弾性結合が取れなくするものである。また、弾性歪を特定の箇所で耐えさせるものではなく、広範としたものであるが、本発明を実施しようとする場合には、対向する２枚板または略Ｖ字状に配設した板状物とすることができる。
【手続補正３】
【補正対象書類名】明細書
【補正対象項目名】０００８
【補正方法】変更
【補正の内容】
【０００８】
請求項２にかかる人体局部洗浄装置の前記ノズル本体は、肛門洗浄用ノズル本体とビデ用ノズル本体とからなり、前記双方のノズル本体は前記着脱ベースの開口を通過するときは、隔壁により分離された状態で移動するものである。
上記隔壁は、前記着脱ベースの構造的強度を増し、かつ、２本のノズル本体を先端部においてもガイドでき、その故障を少なくすることができる。
【手続補正４】
【補正対象書類名】明細書
【補正対象項目名】０００９
【補正方法】変更
【補正の内容】
【０００９】
請求項３にかかる人体局部洗浄装置の前記シャッター部と前記本体ベースの先端部との着脱は、前記シャッター部の開口の内壁が前記本体ベースの先端部から突出する突起ガイドによってガイドされるものである。
上記突起ガイド及び嵌合ガイドは、両者間が嵌合され、結合位置が特定される形態のものであればよい。
【手続補正５】
【補正対象書類名】明細書
【補正対象項目名】００１０
【補正方法】変更
【補正の内容】
【００１０】
請求項４にかかる人体局部洗浄装置の前記操作部は、前記シャッター部の前記裏面に突出した態様で設けられており、少なくともその５０％以上は、前記シャッターの遊端部側にて隠されているものである。ここで、前記操作部の５０％以上を隠すとは、操作部が露出している箇所のみでは、操作部の一方に束子、作業中の手袋の一部が引っかかったとしても、同時に異なる方向の外力が加わらないから、不用意に離脱することがない。
【手続補正６】
【補正対象書類名】明細書
【補正対象項目名】００１２
【補正方法】変更
【補正の内容】
【００１２】
また、前記操作部は、弾性を有する略Ｕ字型の開口の両側に配設され、前記着脱ベースの裏面側に係止される係合突起と、前記係合突起の両側部の一方または両方に形成された外方向に突出する係合子とを備え、前記係合子は、前記係合突起が前記本体ベースの先端部の底面側に形成された受容部の平行する壁の間に挿入されたとき、前記受容部の壁に設けられた凹部孔に弾性係合するものであるから、請求項１に記載の効果に加えて、略Ｕ字状とした係合突起は、同時に互いに反対方向の力である内側に外力を付与するものであり、外力を加えても、簡単に弾性結合が解除されることがない。また、係合突起は略Ｕ字状であるから、弾性歪を特定の箇所に集中されるものではなく、広範としたものであるから、耐久性を長くすることができる。
【手続補正７】
【補正対象書類名】明細書
【補正対象項目名】００１３
【補正方法】変更
【補正の内容】
【００１３】
請求項２における人体局部洗浄装置の前記ノズル本体は、肛門洗浄用ノズル本体とビデ用ノズル本体とからなり、前記双方のノズル本体は前記着脱ベースの開口を通過するときは、隔壁により分離された状態で移動するものであるから、請求項１に記載の効果に加えて、前記隔壁が前記着脱ベースの構造的強度を増し、かつ、２本のノズル本体を先端部においてもガイドでき、その故障を少なくすることができる。
【手続補正８】
【補正対象書類名】明細書
【補正対象項目名】００１４
【補正方法】変更
【補正の内容】
【００１４】
請求項３における人体局部洗浄装置の前記シャッター部と前記本体ベースの先端部との着脱は、前記シャッター部の開口の内壁が前記本体ベースの先端部から突出する突起ガイドによってガイドされるものであるから、請求項１または請求項２に記載の効果に加えて、上記突起ガイド及び嵌合ガイドは、両者間が嵌合され、結合位置が特定されるから、シャッター部に加わる外力によって変形し、操作部に予期しない外力が加わることを防止できる。
【手続補正９】
【補正対象書類名】明細書
【補正対象項目名】００１５
【補正方法】変更
【補正の内容】
【００１５】
請求項４における人体局部洗浄装置の前記操作部は、前記シャッター部の前記裏面に突出した態様で設けられており、少なくともその５０％以上は、前記シャッターの遊端部側にて隠されているものであるから、請求項１乃至請求項３の何れか１つに記載の効果に加えて、前記操作部の５０％以上を隠すものであるから、操作部が露出している箇所では、その装着状態が確認でき、また、仮に、操作部の一方に束子、作業中の手袋の一部が引っかかったとしても、同時に異なる方向の外力が加わらないから、不用意に離脱することがない。